(57)【特許請求の範囲】
【請求項１】
音響を生成するダイナミックドライバーユニット、及び、
空気は通して前記ダイナミックドライバーユニットに入力される外部騒音を遮蔽するために、前記ダイナミックドライバーユニットを構成するポールピース（Pole  piece）に形成されたバックホールをカバーするアコースティックフィルタを含み、
前記アコースティックフィルタは、通孔及び音の移動経路が選択的に形成されたフィルタ層を含むことを特徴とする、アコースティックフィルタを有する騒音遮蔽イヤセット。
【請求項２】
音響を生成するバランスドアーマチュアドライバーユニット、及び、
空気は通して前記バランスドアーマチュアドライバーユニットに入力される外部騒音を遮蔽するために、前記バランスドアーマチュアドライバーユニットを構成するフレームに形成されたバックホールをカバーするアコースティックフィルタを含み、
前記アコースティックフィルタは、通孔及び音の移動経路が選択的に形成されたフィルタ層を含むことを特徴とする、アコースティックフィルタを有する騒音遮蔽イヤセット。
【請求項３】
前記アコースティックフィルタは、
前記通孔及び音の移動経路に選択的に連通される通孔が形成されたプレートをさらに含むことを特徴とする請求項１または２に記載のアコースティックフィルタを有する騒音遮蔽イヤセット。
【請求項４】
前記フィルタ層及びプレートは互いに繰り返して積層され、前記プレートの通孔と前記フィルタ層の通孔又は音の移動経路が連通されることを特徴とする請求項３に記載のアコースティックフィルタを有する騒音遮蔽イヤセット。
【請求項５】
前記フィルタ層に隣り合うプレートに形成された通孔は、当該フィルタ層における音の移動経路の互いに異なる端部で連通されることを特徴とする請求項４に記載のアコースティックフィルタを有する騒音遮蔽イヤセット。
【請求項６】
隣り合うフィルタ層の音の移動経路が互いに直交することを特徴とする請求項４に記載のアコースティックフィルタを有する騒音遮蔽イヤセット。
【請求項７】
前記音の移動経路には、吸音材が満たされたことを特徴とする請求項３に記載のアコースティックフィルタを有する騒音遮蔽イヤセット。
【請求項８】
前記吸音材は、ポリエステル、ガラス繊維、ミネラルウル、グラスウル、ポリウレタンのいずれか一つ以上を用いることを特徴とする請求項７に記載のアコースティックフィルタを有する騒音遮蔽イヤセット。
【請求項９】
前記ダイナミックドライバーユニットから生成された音響の出力空間と隔離させるチューブ、及び
前記チューブに内蔵させたマイクロフォンを含むことを特徴とする請求項１に記載のアコースティックフィルタを有する騒音遮蔽イヤセット。
【発明の詳細な説明】
【技術分野】
【０００１】
本発明は、騒音遮蔽技術に関するものである。より具体的にはイヤセットの内側と外側の気圧を同一に維持させると共に外部騒音を完璧に遮蔽するアコースティックフィルタを有する騒音遮蔽イヤセットに関するものである。
【背景技術】
【０００２】
通常、イヤセットはインイヤーイヤフォン（Ｉｎ−ｅａｒ  ｅａｒｐｈｏｎｅ）であって、耳介及び外耳道に挿入した状態で音響を聴取する音響装備である。
【０００３】
一方、イヤセットが外耳道に挿入されることによって、イヤセットの内側（人体圧力）と外側（大気圧）の気圧差が発生するようになる。すなわち、イヤセットに形成されたイヤチップが外耳道の内壁に密着されることによって、イヤセットの内側と外側の気圧差が発生するようになるのである。
【０００４】
ところが、この気圧差は振動板に影響を及ぼすようになって、振動板がイヤセットの外側に傾く現象が発生する。
【０００５】
このような振動板の傾きを防止するために、ダイナミックドライバーユニット（Ｄｙｎａｍｉｃ  ｄｒｉｖｅｒ  ｕｎｉｔ）とバランスドアーマチュアドライバーユニット（Ｂａｌａｎｃｅｄ  ａｒｍａｔｕｒｅ  ｄｒｉｖｅｒ  ｕｎｉｔ）の後尾にはバックホール（Ｂａｃｋ  Ｈｏｌｅ）が存在する。このバックホールは、イヤセットの内側と外側の気圧を同一に維持させる機能を行うようになる。よって、振動板が定位置で振動が行われる。また、メッシュ（Ｍｅｓｈ）密度が互いに異なるダンパなどでバックホールをカバーする場合、振動板の動作時、互いに異なる圧力差が発生するようになるが、これを用いてチューニングに利用することもある。
【０００６】
しかし、このバックホールは、外部騒音が入力される経路として作用する問題点がある。外部騒音との完璧な遮蔽が必要な所、例えば、空港などで使用するためには外部騒音を完璧に遮蔽しなければならないが、ドライバーユニットの後尾に形成されたバックホールの存在によって外部騒音に対する完璧な遮蔽が難しい問題がある。
【０００７】
一方、スピーカーとマイクロフォンを一体化させたイヤセットは、外耳道に音響を伝達する機能と使用者音声を集音する機能を一つのボディ（Ｂｏｄｙ）で行うようになる。これに通常、スピーカーは音響伝達のために外耳道方向へ向かうこととなり、マイクロフォンは使用者音声を集音するために耳介の外部に露出させるようになる。
ところが、これらのイヤセットの場合にもマイクロフォンの集音のために形成させた集音ホールを通じて外部騒音が入力され、この外部騒音がドライバーユニットの後尾に形成されたバックホールを通じて流入されるようになる問題点がある。一方、マイクロフォンが外耳道方向に向かっているインイヤーマイクロフォン（Ｉｎ−ｅａｒ  ｍｉｃｒｏｐｈｏｎｅ）の場合にも、インイヤーマイクロフォンの設置位置と関係なく外部騒音によって音響の品質が落ちる問題がある。そこで、ドライバーユニットの後尾に形成されたバックホールを閉鎖させると、前記の振動板の傾き現象が発生するようになって、航空機の内部あるいは高い山岳地帯のような所では使用ができなくなる。
【０００８】
よって、ダイナミックドライバーユニット及びバランスドアーマチュアドライバーユニットの後尾に形成されたバックホールを通じて外部騒音が流入されることは遮蔽して空気流入はできるようにする方案が必要である。
【発明の概要】
【発明が解決しようとする課題】
【０００９】
本発明の目的は、ドライバーユニットに形成されたバックホールをアコースティックフィルタでカバーしてイヤセットの内側と外側の気圧を同一に維持させると共に外部騒音を完璧に遮蔽するアコースティックフィルタを有する騒音遮蔽イヤセットを提供することにある。
【課題を解決するための手段】
【００１０】
前記のような目的を達成するための本発明のアコースティックフィルタを有する騒音遮蔽イヤセットは、好ましくは音響を生成するドライバーユニット、及び空気は通して外部騒音を遮蔽するために、前記ドライバーユニットに形成されたバックホールをカバーするアコースティックフィルタを含むことができる。
【００１１】
前記アコースティックフィルタは、通孔及び音の移動経路が選択的に形成されたフィルタ層と、前記通孔及び音の移動経路に選択的に連通される通孔が形成されたプレートを含み、前記フィルタ層及びプレートは互いに繰り返して積層され、前記プレートの通孔と前記フィルタ層の通孔又は音の移動経路が連通されている。この時、前記フィルタ層に隣り合うプレートに形成された通孔は、当該フィルタ層の音の移動経路の互いに異なる段部で連通される方が好ましく、また、隣り合うフィルタ層の音の移動経路は、細くて長いほど（高音成分は通過できずに低音成分のみ通過させるために）良い。
【００１２】
一方、前記音の移動経路には吸音材を満たすことができ、前記吸音材としてはポリエステル、ガラス繊維、ミネラルウル、グラスウル、ポリウレタンのいずれか一つ以上を用いることができる。
【発明の効果】
【００１３】
本発明によると、アコースティックフィルタを通じて高音域及び中音域は除去され、実質的に１００Ｈｚ以下の低音域のみ通過することになるが、ブルートゥース（登録商標）規格上低音はフィルタリングされて通過されないため、結論的に空気は通過されるが、外部騒音は完璧に遮蔽することができる。
【００１４】
一方、ドライバーユニットの動作によりバックホールを通じて音響が逆出力される場合もアコースティックフィルタを経て１００Ｈｚ以下の低音域のみ出力されるので、イヤセットの内部で生成される音響による影響を防止することができる。すなわち、当該低音域がマイクロフォン（インイヤーマイクロフォン）に入力されてもブルートゥースなどで転送するとき、データ量を減らすために高音域及び低音域を除去するフィルタリングを行うので、イヤセットの内部で生成されるノイズの影響を防止することができる。
【図面の簡単な説明】
【００１５】
【図１】本発明の第１の実施形態によるアコースティックフィルタを有する騒音遮蔽イヤセットの断面図である。
【図２】本発明の第１の実施形態によるアコースティックフィルタの分解斜視図である。
【図３】本発明の第１の実施形態によるアコースティックフィルタの拡大図である。
【図４】本発明に適用されたダイナミックドライバーユニットの断面図である。
【図５】本発明の他の適用例として、ダイナミックドライバーユニットとインイヤーマイクロフォンを有するイヤセットの断面図である。
【図６】本発明の他の実施形態によるアコースティックフィルタを有する騒音遮蔽イヤセットの断面図である。
【図７】本発明に適用されたバランスドアーマチュアドライバーユニットの断面図である。
【発明を実施するための形態】
【００１６】
以下では、本発明の好ましい実施形態及び添付する図面を参照して本発明を詳しく説明するが、図面の同一参照符号は同一構成要素を指すことを前提して説明することとする。
【００１７】
発明の詳細な説明又は特許請求の範囲において、いずれかの構成要素が他の構成要素を「含む」とする時、これは特に反対される記載がない限り、当該構成要素だけで構成されるものと限って解釈せずに、他の構成要素を更に含むことができると理解しなければならない。
【００１８】
また、発明の詳細な説明又は特許請求の範囲において「〜手段」、「〜部」、「〜モジュール」、「〜ブロック」と命名された構成要素は、少なくとも一つ以上の機能や動作を処理する単位を意味し、これらの各々はソフトウェア又はハードウェア、又はこれらの結合により具現され得る。
【００１９】
以下では、本発明のアコースティックフィルタを有する騒音遮蔽イヤセットが具現された一例を特定した実施形態を通じて説明することとする。
【００２０】
図１は、本発明の第１の実施形態によるアコースティックフィルタを有する騒音遮蔽イヤセットの断面図である。
【００２１】
図１を参照する。本実施形態はダイナミックドライバーユニットが適用されたイヤセットに関する場合であって、本発明の騒音遮蔽イヤセットは、ダイナミックドライバーユニット１と、ダイナミックドライバーユニット１の後尾に形成されたバックホールをカバーするアコースティックフィルタ２を含む。
【００２２】
このように構成された本発明の騒音遮蔽イヤセットは、バックホールをカバーするアコースティックフィルタ２を用いてイヤセットの内側と外側の気圧を同一に維持させると共にバックホールを通じて流入される外部騒音を遮蔽させる。
【００２３】
また、ダイナミックドライバーユニット１の動作によって、バックホールを通じて音響が逆出力される場合にも、アコースティックフィルタ２を経て１００Ｈｚ以下の低音域のみ出力される。
【００２４】
図２は、本発明の第１の実施形態によるアコースティックフィルタの分解斜視図である。
【００２５】
図２を参照する。本発明のアコースティックフィルタ２は、通孔及び音の移動経路Ｉが選択的に形成されたフィルタ層２ｂ、２ｄ、２ｆと、通孔及び音の移動経路Ｉに選択的に連通される通孔ｈが形成されたプレート２ａ、２ｃ、２ｅを含む。
【００２６】
最外面にはカバー２ｇを形成している。
【００２７】
フィルタ層２ｂ、２ｄ、２ｆとプレート２ａ、２ｃ、２ｅは、互いに繰り返して積層されることができ、プレート２ａ、２ｃ、２ｅの通孔ｈ及びフィルタ層２ｂ、２ｄ、２ｆの通孔又は音の移動経路Ｉが連通される状態のみ維持されればよい。
すなわち、フィルタ層２ｂ、２ｄ、２ｆの通孔又は音の移動経路Ｉは、隣接するプレート２ａ、２ｃ、２ｅの通孔ｈと連通される。一方、いずれかのフィルタ層２ｂ、２ｄ、２ｆに隣り合うプレート２ａ、２ｃ、２ｅに形成された通孔ｈは、当該フィルタ層２ｂ、２ｄ、２ｆの音の移動経路Ｉの互いに異なる段部で連通される方が好ましい。もちろん、フィルタ層２ｂ、２ｄ、２ｆの音の移動経路Ｉの中でどこでもプレート２ａ、２ｃ、２ｅに形成された通孔ｈと連通されることができ、連通される数も多数個であり得る。
【００２８】
フィルタ層２ｂ、２ｄ、２ｆに形成される音の移動経路Ｉは、渦巻き状、ジグザグ状など多様な形状を有することができる。好ましくは隣り合うフィルタ層２ｂ、２ｄ、２ｆに形成された音の移動経路Ｉは、互いに直交する方が良い。
【００２９】
フィルタ層２ｂ、２ｄ、２ｆには、互いに異なる音の移動経路Ｉが多数個形成されることができ、多数の音の移動経路Ｉに対応して隣り合うプレート２ａ、２ｃ、２ｅに多数の通孔が形成され得る。
【００３０】
本実施形態においては、３個のフィルタ層２ｂ、２ｄ、２ｆと、３個のプレート２ａ、２ｃ、２ｅと、１個のカバー２ｇで構成される場合について説明しているが、フィルタ層２ｂ、２ｄ、２ｆとプレート２ａ、２ｃ、２ｅの構成は任意の組み合わせが可能である。
【００３１】
なお、本実施形態においては、フィルタ層２ｂ、２ｄ、２ｆに音の移動経路Ｉを形成させる場合について例示しているが、プレート２ａ、２ｃ、２ｅに音の移動経路Ｉを形成させて、フィルタ層に通孔を形成させることもできるだろう。
【００３２】
このように構成されたアコースティックフィルタ２は、ダイナミックドライバーユニット１のバックホールに取り付けられ、バックホールを通じて入出力される音をフィルタリングする。
【００３３】
図３は、本発明の第１の実施形態によるアコースティックフィルタの拡大図である。
【００３４】
図３を参照する。本発明においてフィルタ層２ｄは音の移動経路Ｉを形成しており、プレート２ｃ、２ｅは通孔ｈを形成している。
【００３５】
フィルタ層２ｄの音の移動経路Ｉの端部は、プレート２ｃ、２ｅの通孔ｈの位置Ｐ１、Ｐ２と一致し、よって、音の移動経路Ｉと通孔ｈが連通されるようになる。
【００３６】
音の移動経路Ｉの大きさ（幅）は、各フィルタ層別に互いに異なることがあり、音の移動経路Ｉの形状に対応して決定することができる。
【００３７】
プレート２ｃ、２ｅの通孔ｈの大きさも互いに異なる場合もある。
【００３８】
フィルタ層２ｄの素材としては、ポリエステル、ガラス繊維、ミネラルウル、グラスウル、ポリウレタンなどを用いることができ、これによってフィルタ層２ｄは音の吸収、響き防止、振動防止などの機能を遂行する。
【００３９】
プレート２ｃ、２ｅは、金属又は合成樹脂材質の薄い薄板が好ましく、これにプレート２ｃ、２ｅは主に音の移動経路Ｉの密閉機能を遂行する。
【００４０】
一方、音の移動経路Ｉは、吸音材で満たされることができ、吸音材は前記のフィルタ層２ｄの素材を用いることができる。
【００４１】
このように構成されたアコースティックフィルタ２において、横、縦、多様に進む音は移動経路Ｉを経て殆ど吸収される。すなわち、高音域と中音域は吸収が行われ、１００Ｈｚ未満の低音域のみ通過される。また、バックホールと空気が通る状態が維持されてイヤセットの内側と外側との気圧が同一に維持される。結局、アコースティックフィルタ２を通じて空気は通るが、殆どの外部騒音は遮蔽されるようになる。
【００４２】
図４は、本発明に適用されたダイナミックドライバーユニットの断面図である。
【００４３】
図４を参照する。本発明で一例として提示するダイナミックドライバーユニット１は、中空されたコーン型のフレーム（ヨーク）１ａと、フレーム１ａの内側で振動する中空されたコーン型の振動板１ｂと、振動板１ｂの先端をフレーム１ａの先端に弾力的に支持させるエッジサラウンド（Ｅｄｇｅ  ｓｕｒｒｏｕｎｄ）１ｃと、振動板１ｂの裏側において、先端側が振動板１ｂの中央部位に固着されるボビン１ｄと、外側の周りはフレーム１ａに固着支持され、内側の周りはボビン１ｄに固着されたダンパ（Ｄａｍｐｅｒ）１ｅと、ボビン１ｄに巻線されたボイスコイル１ｆと、ボイスコイル１ｆを支持するスパイダー（Ｓｐｉｄｅｒ）１ｇと、ボイスコイル１ｆの外側に配置されるリング状の永久磁石１ｈと、フレーム１ａと永久磁石１ｈとの間に固着配置されるリング状のフロントプレート（Ｆｒｏｎｔ  Ｐｌａｔｅ）１ｉと、永久磁石１ｈの下部を覆うリング状のリアプレート（Ｒｅａｒ  Ｐｌａｔｅ）１ｊと、永久磁石１ｈ及びフロントプレート１ｉとの間にボビン１ｄが上下に振動する振動空間を置いてリアプレート１ｊにおいてボビン１ｄの内側に突出されたリング状のポールピース（Ｐｏｌｅ  ｐｉｅｃｅ）１ｋと、振動板１ｂの中央に配置されるダストキャップ（Ｄｕｓｔ  Ｃａｐ）１ｌとを含む。
【００４４】
このように構成されたダイナミックドライバーユニット１において、永久磁石１ｈ、フロントプレート１ｉ、リアプレート１ｊ及びポールピース１ｋは磁気回路を構成するようになり、ボイスコイル１ｆに電流が印加されて磁性を有するようになると、ボイスコイル１ｆの磁力極性によってボイスコイル１ｆを引っ張るか、押し出すようになる。
すなわち、ボイスコイル１ｆの磁力極性と永久磁石１ｈの磁力極性と同じであれば押し出し、ボイスコイル１ｆと永久磁石１ｈの磁力極性が互いに異なれば引っ張ることで、ボイスコイル１ｆが振動するようになる。ボイスコイル１ｆが振動すると、ボイスコイル１ｆに固定された振動板１ｂが振動され、これに音を発生させるようになる。
【００４５】
一方、ダイナミックドライバーユニット１の後尾に形成されたバックホールにアコースティックフィルタ２で遮蔽して外部騒音遮蔽だけでなく、振動板の動作によって生成された音響がバックホールへ逆出力される音も遮蔽できる。
【００４６】
図５は、本発明の他の適用例として、ダイナミックドライバーユニットとインイヤーマイクロフォンを有するイヤセットの断面図である。
【００４７】
図５を参照する。本発明において提示するイヤセットは、図４のダイナミックドライバーユニット１の構成でダストキャップの中央にホールを形成させて、ダイナミックドライバーユニット１を貫通するチューブ３と、チューブ３に内設されたインイヤーマイクロフォン４を更に含んでいる。
【００４８】
チューブ３によってスピーカー音響の出力空間と隔離され、インイヤーマイクロフォン４が内蔵される中空チャンネルをスピーカー前方に形成させて設置空間を最小化することにより全体体積をコンパクト化することができる。
【００４９】
チューブ３の一端はリアプレート、ポールピース、フロントプレートのいずれかに結合される方が好ましく、バックホールとの連通状態は維持される。一方、他端はノズルなどに固定されことができる。
【００５０】
チューブ３の一端は、アコースティックフィルタ２でカバーされる方が好ましい。
【００５１】
アコースティックフィルタ２がない既存のイヤセットの場合には、振動板の動作によって生成された音響がバックホールへ逆出力されてチューブ３を通じてインイヤーマイクロフォン４に流入される。これにハウリング現象が発生し得る。
【００５２】
しかし、本発明において提示したアコースティックフィルタ２を有するイヤセットの場合には、振動板の動作によって生成された音響がバックホールへ逆出力されるとき、アコースティックフィルタ２を通過するため、１００Ｈｚ未満の低音域のみ通過して出力される。
【００５３】
一方、ブルートゥース通信モジュールとＤＳＰが形成された無線イヤセットの場合に、無線転送のためにデータ量を減らすフィルタリングを行うようになるが、高音域と低音域を除去することになる。すなわち、振動板の動作によってバックホールへ逆出力された１００Ｈｚ未満の低音域は、無線転送のためのフィルタリングの過程で完全に除去されるので、インイヤーマイクロフォン４に入力されるノイズは実質的にすべて除去される。
【００５４】
図６は、本発明の他の実施形態によるアコースティックフィルタを有する騒音遮蔽イヤセットの断面図である。
【００５５】
図６を参照する。本実施形態は、バランスドアーマチュアドライバーユニットが適用されたイヤセットに関する場合であって、本発明の騒音遮蔽イヤセットは、バランスドアーマチュアドライバーユニット５と、バランスドアーマチュアドライバーユニット５の後尾に形成されたバックホールをカバーするアコースティックフィルタ２とを含む。
【００５６】
このように構成された本発明の騒音遮蔽イヤセットは、バックホールをカバーするアコースティックフィルタ２を用いてイヤセットの内側と外側の気圧を同一に維持させると共にバックホールを通じて流入される外部騒音を遮蔽させる。
【００５７】
また、バランスドアーマチュアドライバーユニット５の動作によって、バックホールを通じて音響が逆出力される場合にもアコースティックフィルタ２を経て１００Ｈｚ以下の低音域のみ出力される。
【００５８】
図７は、本発明に適用されたバランスドアーマチュアドライバーユニットの断面図である。
【００５９】
図７を参照する。本発明の一例として提示するバランスドアーマチュアドライバーユニット５は、フレーム５ａと、相互離隔されてフレーム５ａ内に設けられる一対の永久磁石５ｂと、永久磁石５ｂをカバーするヨークプレート５ｃと、一側がエアギャップ（Ａｉｒ  ｇａｐ）を有して永久磁石５ｂとの間に位置され、他側はフレーム５ａに固定されるアーマチュア５ｄと、アーマチュア５ｄの一部の周りに巻かれて、アーマチュア５ｄと永久磁石５ｂと間に交流磁界を形成させるコイル５ｅと、アーマチュア５ｄに連結されたコネクティングロード５ｆと、コネクティングロード５ｆに連結されて振動が行われ、フレーム５ａによって支持される振動板５ｇを含む。
【００６０】
フレーム５ａは直方体の外形形状を有することができるが、フレーム５ａの外形形状はこれに限定しない。フレーム５ａはアルミニウムや硬質樹脂などの硬質材料で構成することができる。
【００６１】
一対の永久磁石５ｂは、互い離隔されて直流磁界を形成し、上部磁石と下部磁石で構成することができる。
【００６２】
ヨークプレート５ｃは、上部磁石及び下部磁石を含む閉回路を構成するために備えられる。すなわち、上部磁石と下部磁石によって一定の静磁場（ｓｔａｔｉｃ  ｍａｇｎｅｔｉｃ  ｆｉｅｌｄ）が発生し、静磁場に対する回帰経路（ｒｅｔｕｒｎ  ｐａｔｈ）がヨークプレート５ｃにより制限される。これにヨークプレート５ｃは磁気的性質の高い高透磁率の材質で形成することができる。
【００６３】
アーマチュア５ｄは、互いに離隔された一対の永久磁石５ｂの間に一端が位置する。一端の反対方向の他端は上位方向に曲げた形の曲げ構造で形成されてフレーム５ａに固定することができる。他端の曲げ構造は多様な形に変形することができ、フレーム５ａに固定される構図であれば、いずれの形態でも適用可能である。
他端の曲げ構造を通じて、全体的な高さが下がることで体積を減らすことができる。アーマチュア５ｄは金属ストリプをスタンプアウト（ｓｔａｍｐ  ｏｕｔ）して形成することができる。金属ストリプは一端を曲げることにおいて容易である。アーマチュア５ｄはパーマロイ（又は鉄・ニッケル磁性合金）のような従来の磁性材料、シリコンスチールのような鉄・シリコン材料、或はそれ以外の他の材料を含めて構成することができる。アーマチュア５ｄは磁気的性質の高い高透磁率の材質で形成することができる。永久磁石５ｂとの間に位置したアーマチュア５ｄは永久磁石５ｂとアーマチュア５ｄとの間にエアギャップ（Ａｉｒ  ｇａｐ）を含むことができる。
【００６４】
コイル５ｅは、アーマチュア５ｄの一部の周りに巻かれて、信号電流が印加されればアーマチュア５ｄに磁束を発生させ、アーマチュア５ｄと永久磁石５ｂとの間に交流磁界が形成されるようにする。
【００６５】
コネクティングロード５ｆは、剛性のある非磁性材料で構成することができる。
【００６６】
このように構成されたバランスドアーマチュアドライバーユニット５は、コイル５ｅに信号電流が印加されれば、アーマチュア５ｄに発生する磁束によってアーマチュア５ｄと永久磁石５ｂとの間に形成される交流磁界が永久磁石５ｂとの間に形成された直流磁界に重畳される時、アーマチュア５ｄが上下方向に曲げ変形する。
これによってアーマチュア５ｄに連結されたコネクティングロード５ｆが上下方向に変位（ｄｉｓｐｌａｃｅｍｅｎｔ）するようになる。そして、コネクティングロード５ｆの変位がその上端部に連結固定された振動板５ｇに伝達されることにより、振動膜が振動することで、音響を発生させることができる。このように発生した音響がノズルを通じて外部へ放出されて最終的には使用者の耳に伝達されるようになる。
【００６７】
また、バランスドアーマチュアドライバーユニット５の後尾に形成されたバックホールをアコースティックフィルタ２で遮蔽することで、外部騒音遮蔽だけでなく、振動板５ｇの動作によって生成された音響がバックホールへ逆出力される音も遮蔽することができる。
【００６８】
一方、バランスドアーマチュアドライバーユニット５とインイヤ―マイクロフォンは一つのケース内部に共に内設されることができ、チューブによってスピーカー音響の出力空間と隔離され、チューブ内部にインイヤーマイクロフォンを内蔵させることができる。図５において説明した機能が実質的に同一に適用されるので、重複説明は省略する。
【００６９】
以上、の幾つかの実施形態を通じて本発明の技術的思想を説明した。
【００７０】
本発明の属する技術分野における通常の知識を有する者が本発明の記載事項から前記の実施形態を多様に変形したり、変更できることは自明である。また、たとえ明示的に図示されたり、説明されなかったとしても本発明の属する技術分野における通常の知識を有する者が本発明の記載事項から本発明による技術的思想を含む様々な形の変形をすることができるのは明らかであり、これは依然として本発明の権利範囲に属する。
添付する図面を参照して説明された前記の実施形態は本発明を説明するための目的で記述されたものであり、本発明の権利範囲はこれらの実施形態に限られない。  
【符号の説明】
【００７１】
１  ダイナミックドライバーユニット
１ａ  フレーム
１ｂ、５ｇ  振動板
１ｃ  エッジサラウンド
１ｄ  ボビン
１ｅ  ダンパ
１ｆ  ボイスコイル
１ｇ  スパイダー
１ｈ、５ｂ  永久磁石
１ｉ  フロントプレート
１ｊ  リアプレート
１ｋ  ポールピース
１ｌ  ダストキャップ
２  アコースティックフィルタ
２ｄ  フィルタ層
３  チューブ
４  インイヤーマイクロフォン
５  バランスドアーマチュアドライバーユニット
５ｃ  ヨークプレート
５ｄ  アーマチュア
５ｅ  コイル
【図１】
0006649488.tif 000002
【図２】
0006649488.tif 000003
【図３】
0006649488.tif 000004
【図４】
0006649488.tif 000005
【図５】
0006649488.tif 000006
【図６】
0006649488.tif 000007
【図７】
0006649488.tif 000008